(57)【要約】【課題】交換機側で発信元番号通知サービスを開始するタイミングを意識することなく、その通知サービスを確実に受けることができるようにする。【解決手段】発信元の発呼に基づき交換機から１６Ｈｚの呼出信号が送信されてきたとき、その呼出信号のオン時間及びオフ時間をそれぞれタイマ１７，１８で計測することにより、呼出信号の発信パターンを検出する。ＣＰＵ７は、検出された発信パターン（つまりオン／オフ時間）に基づき、交換機からの１６Ｈｚ信号が通知サービスのためのＩＤ受信端末起動信号であるか、着信側を呼び出すための一般的な呼出信号であるかを判別する。そして、ＣＰＵ７は、ＩＤ受信端末起動信号である場合には通知サービスに対応した着信手順を実行させ、一般的な呼出信号である場合には通常の着信手順を実行させる。【選択図】      図１
2005051815.tif 000002
【特許請求の範囲】
【請求項１】
発信元番号を交換機から着信側へ通知するサービスを受けるための機能を有する通信端末装置において、交換機から送信されてくる呼出信号が発信されているオン時間と停止されているオフ時間とを計測することによって発信パターンを検出する検出手段と、前記呼出信号の１周期を１回としてカウントするカウンタと、検出手段により検出された発信パターンに基づき、前記通知サービスに対応した着信動作を行うか否かを判断して、その後の着信動作を制御する制御手段とを備え、
前記制御手段は、検出手段により計測された呼出信号のオン時間及びオフ時間がそれぞれ所定の時間の範囲内である場合に当該信号を呼出信号の１周期分であると判断してカウンタに「１」加算するようになっており、検出手段により計測された呼出信号のオン時間及びオフ時間に基づいて、呼出信号の１周期毎に、交換機からの呼出信号が通知サービスのためのＩＤ受信端末起動信号の１周期分であるか、着信側を呼び出すための一般的な呼出信号の１周期分であるかを判断し、ＩＤ受信端末起動信号又は一般的な呼出信号のうちどちらかが先に少なくとも２周期分となりカウンタのカウント値が「２」以上となったことを確認したときに、当該カウント値が「２」以上となった信号を正常な信号であると判断して着信動作に移行する通信端末装置。
【請求項２】
前記制御手段は、前記カウント値が「２」以上となって正常な信号であると判断された信号が、ＩＤ受信端末起動信号である場合には通知サービスに対応した着信動作を行わせ、一般的な呼出信号である場合には通常の着信動作を行わせる請求項１に記載の通信端末装置。
【請求項３】
前記制御手段は、検出手段により呼出信号のオンが検出されるのが待たれる状態で所定時間以上オンが検出されない状態が継続した場合及び検出手段により呼出信号のオフが検出されるのが待たれる状態で所定時間以上オフが検出されない状態が継続した場合にカウンタのカウント値を「０」に初期設定する請求項１又は請求項２に記載の通信端末装置。
【発明の詳細な説明】
【技術分野】
【０００１】
本発明は、電話機やファクシミリ装置等の通信端末装置に関するものである。より詳しくは、発信元の電話番号を交換機から着信側へ通知するサービス（発信元番号通知サービス）を受けることが可能な通信端末装置に関するものである。
【背景技術】
【０００２】
近年、発信元の電話番号を交換機から着信側の電話機やファクシミリ装置等の通信端末装置へ通知するサービス（発信元番号通知サービス）が実用化されている。この発信元番号通知サービスでは、交換機と着信側の通信端末装置との間で図４に示すような通信手順が行われる。即ち、発信元でダイヤル発呼が行われると、図４に示すように、先ず交換機において電話回線上を流れる電流の極性が反転される。次に、交換機から通信端末装置へ１６ＨｚのＩＤ受信端末起動信号が送信される。このＩＤ受信端末起動信号は発信元番号通知サービスのために特別に用意されたものであり、図５（ａ）に示すように、０．５秒のオフ時間をおいて０．５秒ずつ断続的に発信される１６Ｈｚの信号である。
【０００３】
着信側の通信端末装置は、交換機からのＩＤ受信端末起動信号を検出すると、電話回線を閉結して交換機との間で直流ループを形成する。この直流ループの形成が一次応答信号として交換機で検出されると、交換機から通信端末装置へ発信元電話番号のデータがＦＳＫ（周波数変調）信号として送信される。通信端末装置は、交換機からの電話番号データを受信すると、電話回線を一旦開放して交換機との間の直流ループを開放する。この直流ループの開放が受信完了信号として交換機で検出されると、交換機から通信端末装置へ一般的な１６Ｈｚの呼出信号が送信される。この呼出信号は、図５（ｂ）に示すように、２秒のオフ時間をおいて１秒ずつ断続的に発信される１６Ｈｚの信号であり、図５（ａ）に示すＩＤ受信端末起動信号とは発信パターンが異なっている。尚、交換機は通信端末装置へ呼出信号を送信している間、発信元に対してリングバックトーンを送信する。
【０００４】
ここで、通信端末装置がファクシミリ装置である場合には、そのファクシミリ装置は交換機からの呼出信号を検出すると、電話回線を再び閉結して交換機との間で直流ループを形成する。一方、通信端末装置が電話機である場合には、その電話機は交換機からの呼出信号によって鳴動される。そして、この鳴動に基づき使用者が電話機のハンドセットをオフフックすると、電話回線が閉結されて交換機との間で直流ループが形成される。この直流ループの形成が二次応答信号として交換機で検出されると、先に反転された電話回線の極性が交換機において復極された後、発信元と着信側の通信端末装置との間でファクシミリ通信或いは通話が行われる。
【０００５】
以上のように、この発信元番号通知サービスでは、着信側装置を一般的な呼出信号で呼び出す前にＩＤ受信端末起動信号で呼び出して、発信元の電話番号を着信側装置に知らせるようにしている。従って、着信側装置では、発信元との間での通信を開始する前に、その発信元の電話番号を認識して表示部上に表示することができるだけでなく、発信元が通信を拒否したい相手である場合には、交換機からの一般的な呼出信号による呼び出しに応答しないといった対応が可能となる。
【発明の開示】
【発明が解決しようとする課題】
【０００６】
ところで、上述した発信元番号通知サービスを受けるためには、その通知サービスを受けるための機能を有する通信端末装置を用意する必要があるだけでなく、その通信端末装置を通常の着信手順ではなく通知サービスに対応した着信手順で動作するように機能設定しておく必要があるとともに、一般加入者回線の契約を通知サービス加入の契約に切り換える必要がある。この場合、交換機では、通知サービス加入の契約をした加入者に対しては、通知サービスに対応した着信手順で動作するように設定が切り換えられるが、この交換機側での切り換えタイミングと通信端末装置側での機能設定のタイミングとがずれると次のような問題が生じる。
【０００７】
即ち、例えば、通信端末装置側では既に通知サービス用に機能設定が行われているにもかかわらず、交換機側では通知サービス用に切り換えが未だ行われていない状態で、発信元で発呼が行われると、交換機は着信側の通信端末装置に対して一般的な呼出信号を送信する。一方、着信側装置は、一般的な呼出信号とは発信パターンの異なるＩＤ受信端末起動信号を待っているので、交換機からの呼出信号を認識することができなくて、回線を閉結しない可能性がある。又、着信側装置が交換機からの一般的な呼出信号をＩＤ受信端末起動信号として認識して回線を閉結したとしても、その後交換機からは発信元電話番号データが送信されてこないので、着信側装置は着信手順が正常でないと見なして、通信を中断してしまう。
【０００８】
又、前記とは逆に、交換機側では既に通知サービス用に切り換えが行われているにもかかわらず、通信端末装置側では未だ通知サービス用に機能設定が行われていない状態で、発信元で発呼が行われると、交換機は着信側の通信端末装置に対してＩＤ受信端末起動信号を送信する。一方、着信側装置は、ＩＤ受信端末起動信号とは発信パターンの異なる一般的な呼出信号を待っているので、交換機からのＩＤ受信端末起動信号を認識することができなくて、前記と同様に回線を閉結しない可能性がある。又、着信側装置が交換機からのＩＤ受信端末起動信号を一般的な呼出信号として認識して回線を閉結したとしても、その後交換機から送信されてくる発信元電話番号データを認識することができないので、この場合も前記と同様に通信が中断されてしまう。又、着信側装置が電話機であれば、交換機からのＩＤ受信端末起動信号によって電話機が鳴動されしまう。しかし、その鳴動に基づき使用者がハンドセットをオフフックしても、発信元との間の回線は確立されていないので、通話を行うことができない。
【０００９】
本発明は上記問題点を解消するためになされたものであって、その目的は、交換機側で発信元番号通知サービスを開始するタイミングを意識することなく、その通知サービスを確実に受けることができて、通信動作に支障を生じることがない通信端末装置を提供することにある。
【課題を解決するための手段】
【００１０】
上記の目的を達成するために、請求項１の発明では、発信元番号を交換機から着信側へ通知するサービスを受けるための機能を有する通信端末装置において、交換機から送信されてくる呼出信号が発信されているオン時間と停止されているオフ時間とを計測することによって発信パターンを検出する検出手段と、前記呼出信号の１周期を１回としてカウントするカウンタと、検出手段により検出された発信パターンに基づき、前記通知サービスに対応した着信動作を行うか否かを判断して、その後の着信動作を制御する制御手段とを備え、前記制御手段は、検出手段により計測された呼出信号のオン時間及びオフ時間がそれぞれ所定の時間の範囲内である場合に当該信号を呼出信号の１周期分であると判断してカウンタに「１」加算するようになっており、検出手段により計測された呼出信号のオン時間及びオフ時間に基づいて、呼出信号の１周期毎に、交換機からの呼出信号が通知サービスのためのＩＤ受信端末起動信号の１周期分であるか、着信側を呼び出すための一般的な呼出信号の１周期分であるかを判断し、ＩＤ受信端末起動信号又は一般的な呼出信号のうちどちらかが先に少なくとも２周期分となりカウンタのカウント値が「２」以上となったことを確認したときに、当該カウント値が「２」以上となった信号を正常な信号であると判断して着信動作に移行するものである。
【００１１】
請求項２の発明では、請求項１において、前記制御手段は、前記カウント値が「２」以上となって正常な信号であると判断された信号が、ＩＤ受信端末起動信号である場合には通知サービスに対応した着信動作を行わせ、一般的な呼出信号である場合には通常の着信動作を行わせるものである。
【００１２】
請求項３の発明では、請求項１又は請求項２において、前記制御手段は、検出手段により呼出信号のオンが検出されるのが待たれる状態で所定時間以上オンが検出されない状態が継続した場合及び検出手段により呼出信号のオフが検出されるのが待たれる状態で所定時間以上オフが検出されない状態が継続した場合にカウンタのカウント値を「０」に初期設定するものである。
【００１３】
従って、各請求項の発明は次のような作用を奏する。
請求項１の発明によれば、発信元の発呼に基づき交換機から呼出信号が送信されてくると、その呼出信号の発信パターンが検出手段により検出される。そして、検出された発信パターンに基づき、制御手段により通知サービスに対応した着信動作を行うか否かが判断されて、その後の着信動作が制御される。このため、交換機からの呼出信号の種類に応じて適正な着信動作が自動的に行われ、交換機側で通知サービスを開始するタイミングを意識することなく、その通知サービスを確実に受けることができる。また、呼出信号がノイズ等の混入によって乱れた場合には、検出手段により計測されるオン／オフ時間が、交換機から実際に発信された呼出信号のオン／オフ時間と異なって、呼出信号の発信パターンに基づく判断動作に間違いを生じる可能性がある。しかし、呼出信号のオン／オフ時間が所定の時間の範囲内であることが少なくとも２回検出されれば、当該信号はノイズ等の影響を受けていない正常な呼出信号であると見なすことができる。このため、その正常な呼出信号の発信パターンに基づき、通知サービスに対応した着信動作を行うか否かが正確に判断されて、適正な着信動作に移行される。
【００１４】
請求項２の発明によれば、制御手段は、カウント値が「２」以上となって正常な信号であると判断された信号が、ＩＤ受信端末起動信号である場合には通知サービスに対応した着信動作を行わせ、一般的な呼出信号である場合には通常の着信動作を行わせる。このため、交換機からの呼出信号の種類に応じて、通知サービスに対応した着信動作或いは通常の着信動作が適正に行われる。
【発明の効果】
【００１５】
各請求項に記載の発明によれば、交換機からの呼出信号の種類に応じて適正な着信動作が自動的に行われる。このため、交換機側で発信元番号通知サービスを開始するタイミングを意識することなく、その通知サービスを確実に受けることができて、通信動作に支障を生じることがない。また、正常な呼出信号の発信パターンに基づき、通知サービスに対応した着信動作を行うか否かを正確に判断して、適正な着信動作に移行することができる。
【００１６】
請求項２の発明によれば、交換機からの呼出信号の種類に応じて、通知サービスに対応した着信動作或いは通常の着信動作が適正に行われる。
【発明を実施するための最良の形態】
【００１７】
以下、本発明をファクシミリ装置に具体化した一実施形態を図面に基づいて説明する。
図１に示すように、ファクシミリ装置１は、ファクシミリ通信動作を行うファクシミリ装置本体２と、電話回線５との接続を制御するＮＣＵ（ネットワークコントロールユニット）３と、通信相手との間で通話を行うための付属電話機４とを有している。このファクシミリ装置１は、発信元番号通知サービスを受けるための機能を有している。又、ファクシミリ装置１には図示しないケーブルを介して子電話機６が接続され、この子電話機６によっても通信相手との間で通話を行うことができる。
【００１８】
ここで、先ず前記ファクシミリ装置本体２の構成について説明する。ＣＰＵ（中央処理装置）７はファクシミリ装置１全体の動作を制御する。ＲＯＭ（リードオンリメモリ）８は、ＣＰＵ７が制御を行うのに必要な各種のプログラム等を記憶している。ＲＡＭ（ランダムアクセスメモリ）９は、ＣＰＵ７の演算処理に必要なデータ等の各種情報を一時的に記憶する。本実施形態では、ＣＰＵ７、ＲＯＭ８及びＲＡＭ９により、制御手段が構成されている。
【００１９】
モデム１０は送受信データの変調及び復調を行うとともに、交換機から送信されてくるＦＳＫ（周波数変調）信号としての発信元電話番号データを復調する。読取部１１は原稿上の画像を読み取るためのものであり、記録部１２は受信された画データ等に基づき記録紙上に印字を行うためのものである。キー操作部１３は、電話番号等を入力するためのテンキー等の各種操作キーを備えている。表示部１４は、入力された電話番号や、交換機から通知された発信元電話番号等の各種情報を表示する。
【００２０】
検出手段としてのオン検出タイマ１５及びオフ検出タイマ１６は、電話回線５上を伝送される１６Ｈｚの呼出信号（一般的な呼出信号及びＩＤ受信端末起動信号を含む）のオン時間及びオフ時間をそれぞれ計測するためのものである。第１カウンタ１７は１６Ｈｚの呼出信号がＩＤ受信端末起動信号である場合に、その起動信号の１周期を１回としてカウントする。第２カウンタ１８は、１６Ｈｚの呼出信号が一般的な呼出信号である場合に、その呼出信号の１周期を１回としてカウントする。尚、ここでは、図５（ａ），（ｂ）に示すように、各信号のオンの立ち上がりから次のオンの立ち上がりまでを１周期としている。
【００２１】
次に、前記ＮＣＵ３の構成について説明する。モデム１０はトランス２２を介して電話回線５と接続されている。ＣＭＬリレー２３は電話回線５とモデム１０との間に配置され、ＣＰＵ７の制御により電話回線５を閉結及び開放する。尚、電話回線５は、閉結に伴いモデム１０を介した直流ループを形成し、開放に伴いその直流ループを開放する。極性反転検出回路２４は電話回線５上を流れる電流の極性の反転を検出し、その検出結果をＣＰＵ７に出力する。
【００２２】
呼出信号検出回路２５は電話回線５に接続され、その電話回線５上の１６Ｈｚの呼出信号（一般的な呼出信号及びＩＤ受信端末起動信号を含む）を検出する。第１及び第２のオフフック検出回路２６，２７は、それぞれ付属電話機４及び子電話機６のオフフック（ハンドセットを取り上げた状態）を検出する。直流電源供給回路２８は、各電話機４，６のオフフックを検出するために、各電話機４，６に所定電流を供給する。即ち、電話機４，６がオフフックされると、交換機或いは直流電源供給回路２８から各電話機４，６に供給される電流の変化が前記オフフック検出回路２６，２７で検出される。そして、オフフック検出回路２６，２７による電流変化の検出に基づき、ＣＰＵ７は各電話機４，６のオフフックを認識する。又、直流電源供給回路２８は、一般的な呼出信号と同様な信号である１６Ｈｚの疑似呼出信号を発生して各電話機４，６を鳴動させ、使用者に着信を知らせる機能も有している。
【００２３】
第１リレー２９及び第２リレー３０は、各電話機４，６を電話回線５側と直流電源供給回路２８側とに選択的に接続するために設けられている。そして、ＣＰＵ７の制御により各リレー２９，３０が接点ａ側に切り換えられたときには、各電話機４，６が電話回線５側に接続され、各リレー２９，３０が接点ｂ側に切り換えられたときには、各電話機４，６が直流電源供給回路２８側に接続される。
【００２４】
次に、上記のように構成されたファクシミリ装置１の作用について説明する。
さて、このファクシミリ装置１の着信時には、ＣＰＵ７の制御のもとで図２及び図３のフローチャートに示すような動作が行われる。尚、ファクシミリ装置１の通信待機時には、図１に示すように、第１及び第２リレー２９，３０が接点ａ側に切り換えられているとともに、ＣＭＬリレー２３により電話回線５が開放されている。図２に示すように、先ず第１カウンタ１７及び第２カウンタ１８が共に「０」に初期設定され（ステップＳ１）、この状態で電話回線５上に１６Ｈｚの呼出信号のオンが検出されるのが待たれる（ステップＳ２）。尚、１０秒以上同じ状態が継続すると、言い換えれば１０秒以上オンが検出されない状態が継続すると（ステップＳ３）、前記ステップＳ１に戻って、第１及び第２カウンタ１７，１８が再度「０」に初期設定される。
【００２５】
このような着信待機状態で、発信元での発呼に基づき交換機から電話回線５を介して１６Ｈｚの呼出信号が送信されてきて、その１６Ｈｚ信号のオンが呼出信号検出回路２５で検出されると、オン検出タイマ１５が作動されて、オン時間の計測が開始される（ステップＳ４）。この状態で、１６Ｈｚ信号のオフが検出されるのが待たれる（ステップＳ５）。ここで、１０秒以上オンの状態が継続すると（ステップＳ６）、検出された１６Ｈｚ信号が正常な信号でないと判断されて、前記ステップＳ１に戻る。
【００２６】
尚、前記ステップＳ２において１６Ｈｚ信号のオンが検出されるのと同時に、第１及び第２リレー２９，３０が接点ａ側から接点ｂ側に切り換えられる。その結果、各電話機４，６は電話回線５から切り離されて、直流電源供給回路２８側に接続される。従って、各電話機４，６が１６Ｈｚ信号によって鳴動することが防止される。
【００２７】
前記ステップＳ５において、１０秒以内に１６Ｈｚ信号のオフが検出されると、オフ検出タイマ１６が作動されて、オフ時間の計測が開始されるとともに（ステップＳ７）、オン検出タイマ１５で計測された１６Ｈｚ信号のオン時間が０．３秒以上で且つ０．８秒未満であるか否かが判断される（ステップＳ８）。ここで、判断結果がＮＯの場合には、計測されたオン時間が０．８秒以上で且つ２秒未満であるか否かが判断され（ステップＳ９）、この判断結果もＮＯの場合には、検出された１６Ｈｚ信号が正常な信号でないと判断されて、前記ステップＳ１に戻る。
【００２８】
一方、前記ステップＳ８或いはＳ９の判断結果がＹＥＳの場合には、１６Ｈｚ信号のオンが検出されるのが待たれる（ステップＳ１０）。ここで、１０秒以上オフの状態が継続すると（ステップＳ１１）、先に検出された１６Ｈｚ信号が正常な信号でないと判断されて、前記ステップＳ１に戻る。又、１０秒以内に１６Ｈｚ信号のオンが検出されると、オン検出タイマ１５が作動されて、オン時間の計測が開始される（ステップＳ１２）。
【００２９】
続いて、図３に示すように、オフ検出タイマ１６で計測された今回のオフ時間が０．３秒以上で且つ０．８秒未満であり、しかも今回のオフの直前に検出された１６Ｈｚ信号のオン時間が０．３秒以上で且つ０．８秒未満であるか否かが判断される（ステップＳ１３）。ここで、判断結果がＹＥＳの場合には、先に検出された１６Ｈｚ信号が発信元番号通知サービスのためのＩＤ受信端末起動信号の１周期分であると判断されて、第１カウンタ１７が「１」加算される（ステップＳ１４）。つまり、ＩＤ受信端末起動信号は、０．５秒のオフ時間をおいて０．５秒ずつ断続的に発信される１６Ｈｚの信号である。このため、検出された１６Ｈｚ信号のオン時間が０．３秒以上で且つ０．８秒未満であり、しかも１６Ｈｚ信号が次にオンとなるまでの間のオフ時間が０．３秒以上で且つ０．８秒未満である場合には、当該信号をＩＤ受信端末起動信号の１周期分であると判断している。
【００３０】
続いて、第１カウンタ１７によるカウント値が「２」になったか否かが判断される（ステップＳ１５）。ここで、「２」になっていない場合には、図２のステップＳ５に戻って、１６Ｈｚ信号のオン時間及びオフ時間の計測が再度行われる。又、第１カウンタ１７によるカウント値が「２」になった場合には、言い換えればＩＤ受信端末起動信号が２周期分連続して検出された場合には、その起動信号が正常に受信されたものであると判断されて、図４に示すような発信元番号通知サービスに対応した着信手順が実行される（ステップＳ１６）。
【００３１】
即ち、ファクシミリ装置１のＣＰＵ７は、交換機からの１６Ｈｚ信号がＩＤ受信端末起動信号であると判断すると、ＣＭＬリレー２３により電話回線５を閉結させて、交換機との間でモデム１０を介した直流ループを形成させる。この直流ループの形成が一次応答信号として交換機で検出されると、交換機からファクシミリ装置１へ発信元電話番号のデータがＦＳＫ信号として送信される。交換機からの電話番号データはモデム１０で受信され、同モデム１０はその受信データを復調する。そして、ＣＰＵ７は、モデム１０で復調されたデータに基づき発信元の電話番号を認識し、その発信元電話番号を例えば表示部１４上に表示させる。
【００３２】
又、ＣＰＵ７は、交換機からの電話番号データを受信すると、ＣＭＬリレー２３により電話回線５を一旦開放させて、交換機との間の直流ループを開放させる。この直流ループの開放が受信完了信号として交換機で検出されると、交換機からファクシミリ装置１へ一般的な呼出信号（オン時間が１秒で且つオフ時間が２秒の１６Ｈｚ信号）が送信される。ＣＰＵ７は、この呼出信号を呼出信号検出回路２５を介して検出すると、ＣＭＬリレー２３により電話回線５を再び閉結させて直流ループを形成させる。この直流ループの形成が二次応答信号として交換機で検出されると、電話回線５の極性が交換機において復極された後、発信元と着信側のファクシミリ装置１との間で通信が開始される。
【００３３】
この通信時、ファクシミリ装置１のＣＰＵ７は、モデム１０を介して発信元からのＣＮＧ信号を検出すると、発信元がファクシミリ装置であると判断して、ファクシミリ通信手順を実行する。又、ＣＰＵ７は、ＣＮＧ信号が検出されない場合には、発信側が電話機であると判断して、直流電源供給回路２８にて１６Ｈｚの疑似呼出信号を発生させて各電話機４，６を鳴動させる。この鳴動に基づき使用者が何れかの電話機４，６のハンドセットをオフフックすると、ＣＰＵ７は、第１及び第２リレー２９，３０を接点ｂ側から接点ａ側に切り換えるとともに、ＣＭＬリレー２３をオフしてモデム１０を介した直流ループを開放させる。その結果、各電話機４，６が電話回線５側に接続され、使用者はオフフックした電話機４，６を使用して発信元との間で通話を行うことができる。
【００３４】
一方、図３の前記ステップＳ１３における判断結果がＮＯの場合には、オフ検出タイマ１６で計測された今回のオフ時間が０．８秒以上で且つ３秒未満であり、しかも今回のオフの直前に検出された１６Ｈｚ信号のオン時間が０．８秒以上で且つ２秒未満であるか否かが判断される（ステップＳ１７）。ここで、判断結果がＮＯの場合には、先に検出された１６Ｈｚ信号が正常な信号でないと判断されて、図１の前記ステップＳ１に戻る。又、判断結果がＹＥＳの場合には、先に検出された１６Ｈｚ信号が一般的な呼出信号の１周期分であると判断されて、第２カウンタ１８が「１」加算される（ステップＳ１８）。つまり、一般的な呼出信号は、２秒のオフ時間をおいて１秒ずつ断続的に発信される１６Ｈｚの信号である。このため、検出された１６Ｈｚ信号のオン時間が０．８秒以上で且つ２秒未満であり、しかも１６Ｈｚ信号が次にオンとなるまでの間のオフ時間が０．８秒以上で且つ３秒未満である場合には、当該信号を一般的な呼出信号の１周期分であると判断している。
【００３５】
続いて、第２カウンタ１８によるカウント値が「２」になったか否かが判断される（ステップＳ１９）。ここで、「２」になっていない場合には、図２のステップＳ５に戻って、１６Ｈｚ信号のオン時間及びオフ時間の計測が再度行われる。又、第２カウンタ１８によるカウント値が「２」になった場合には、言い換えれば一般的な呼出信号が２周期分連続して検出された場合には、その呼出信号が正常に受信されたものであると判断されて、通常の着信手順が実行される（ステップＳ２０）。
【００３６】
即ち、ファクシミリ装置１のＣＰＵ７は、交換機からの１６Ｈｚ信号が一般的な呼出信号であると判断すると、ＣＭＬリレー２３により電話回線５を閉結させた後、発信元との間で通信を開始する。この通信時における動作は、前述の場合と同様であり、発信元からのＣＮＧ信号が検出された場合には、発信元との間でファクシミリ通信手順が実行される。又、ＣＮＧ信号が検出されない場合には、電話機４，６が疑似呼出信号により鳴動されるので、その鳴動に基づき電話機４，６をオフフックすることにより、発信元との間での通話が可能となる。
【００３７】
本実施形態のファクシミリ装置１は上記のように動作するので、次のような優れた効果を奏する。
（１）発信元の発呼に基づき交換機から１６Ｈｚの呼出信号が送信されてきたとき、その呼出信号のオン時間及びオフ時間が計測されることにより、呼出信号の発信パターンが検出される。そして、検出された発信パターン（つまりオン／オフ時間）に基づき、発信元番号通知サービスに対応した着信動作を行うか否かが判断されて、その後の着信動作が制御される。より詳しくは、検出された発信パターンに基づき、交換機からの１６Ｈｚ信号が通知サービスのためのＩＤ受信端末起動信号であるか、着信側を呼び出すための一般的な呼出信号であるかが判別される。そして、ＩＤ受信端末起動信号である場合には、図４に示すような通知サービスに対応した着信手順が実行され、一般的な呼出信号である場合には、通常の着信手順が実行される。
【００３８】
このため、交換機からの呼出信号の種類に応じて適正な着信動作が自動的に行われ、その後の通信動作に支障を生じることはない。従って、使用者は、一般加入者回線の契約を通知サービス加入の契約に切り換えておくだけでよく、後は交換機側で発信元番号通知サービス用に切り換えが行われたら、その後は通知サービスを確実に受けることができる。その結果、交換機側で発信元番号通知サービスを開始するタイミングを意識することなく、その通知サービスを確実に受けることが可能となる。
【００３９】
（２）検出された呼出信号のオン／オフ時間がそれぞれ所定の時間の範囲内になった場合には、当該信号がＩＤ受信端末起動信号或いは一般的な呼出信号の１周期分であると判断されて、第１或いは第２カウンタ１７，１８が「１」加算される。そして、そのカウント値が「２」になった場合には、言い換えればＩＤ受信端末起動信号或いは一般的な呼出信号が２周期分連続して検出された場合には、その呼出信号が正常に受信されたものであると判断されて、その後の着信手順が実行される。
【００４０】
つまり、交換機からの呼出信号がノイズ等の混入によって乱れた場合には、タイマ１５，１６により計測されるオン／オフ時間が、交換機から実際に発信された呼出信号のオン／オフ時間と異なって、呼出信号の発信パターンに基づく判断動作に間違いを生じる可能性がある。しかし、カウンタ１７，１８によるカウント値が「２」になれば、つまり呼出信号のオン／オフ時間が所定の時間の範囲内であることが少なくとも２回連続して検出されれば、当該信号はノイズ等の影響を受けていない正常な呼出信号であると見なすことができる。このため、その正常な呼出信号の発信パターンに基づき、通知サービスに対応した着信動作を行うか否かを正確に判断して、適正な着信動作に移行することができる。
【００４１】
尚、この発明は例えば以下のように変更して具体化してもよい。
（１）本発明の通信端末装置として、ファクシミリ装置に代えて単なる電話機で具体化すること。
【００４２】
（２）図３のステップＳ１５，Ｓ１９では、カウント値が「２」になった場合に着信手順に移行するようにしているが、このカウント値を例えば「３」或いは「４」等のように、「２」より大きい値に変更すること。この場合には、呼出信号が正常に受信されたものであるということをより確実に判断できる。
【００４３】
（３）交換機からの呼出信号がＩＤ受信端末起動信号であるか一般的な呼出信号であるかを判断するための基準となるオン／オフ時間の範囲を、上記実施形態の範囲より狭い範囲に変更すること。
【００４４】
・発信元番号を交換機から着信側へ通知するサービスを受けるための機能を有する通信端末装置において、交換機から送信されてくる呼出信号の発信パターンを検出する検出手段と、検出された発信パターンに基づき、前記通知サービスに対応した着信動作を行うか否かを判断して、その後の着信動作を制御する制御手段とを備えた通信端末装置。
【００４５】
この構成によれば、発信元の発呼に基づき交換機から呼出信号が送信されてくると、その呼出信号の発信パターンが検出手段により検出される。そして、検出された発信パターンに基づき、制御手段により通知サービスに対応した着信動作を行うか否かが判断されて、その後の着信動作が制御される。このため、交換機からの呼出信号の種類に応じて適正な着信動作が自動的に行われ、交換機側で発信元通知サービスを開始するタイミングを意識することなく、その通知サービスを確実に受けることができ、通信動作に支障を生じることがない。
【００４６】
・前記制御手段は、検出された発信パターンに基づき、交換機からの呼出信号が通知サービスのためのＩＤ受信端末起動信号であるか、着信側を呼び出すための一般的な呼出信号であるかを判別し、ＩＤ受信端末起動信号である場合には通知サービスに対応した着信動作を行わせ、一般的な呼出信号である場合には通常の着信動作を行わせる。
【００４７】
この構成によれば、制御手段は、検出手段により検出された発信パターンに基づき交換機からの呼出信号の種類を判別し、その呼出信号がＩＤ受信端末起動信号である場合には通知サービスに対応した着信動作を行わせ、一般的な呼出信号である場合には通常の着信動作を行わせる。このため、交換機からの呼出信号の種類に応じて、通知サービスに対応した着信動作或いは通常の着信動作が適正に行われる。
【００４８】
・前記検出手段は、呼出信号が発信されているオン時間と停止されているオフ時間とを計測することによって発信パターンの検出を行い、前記制御手段は、検出手段により計測された呼出信号のオン時間及びオフ時間がそれぞれ所定の時間の範囲内であることを少なくとも２回連続して確認したときに、当該信号を正常な呼出信号であると判断して、着信動作に移行する。
【００４９】
この構成によれば、呼出信号がノイズ等の混入によって乱れた場合には、検出手段により計測されるオン／オフ時間が、交換機から実際に発信された呼出信号のオン／オフ時間と異なって、呼出信号の発信パターンに基づく判断動作に間違いを生じる可能性がある。しかし、呼出信号のオン／オフ時間が所定の時間の範囲内であることが少なくとも２回連続して検出されれば、当該信号はノイズ等の影響を受けていない正常な呼出信号であると見なすことができる。このため、その正常な呼出信号の発信パターンに基づき、通知サービスに対応した着信動作を行うか否かが正確に判断されて、適正な着信動作に移行される。
【図面の簡単な説明】
【００５０】
【図１】本発明を具体化したファクシミリ装置の一実施形態を示す回路構成図。
【図２】ファクシミリ装置の着信時における動作を示すフローチャート。
【図３】ファクシミリ装置の着信時における動作を示すフローチャート。
【図４】発信元番号通知サービスにおける着信手順を示す説明図。
【図５】（ａ）はＩＤ受信端末起動信号の発信パターンを示す説明図、（ｂ）は一般的な呼出信号の発信パターンを示す説明図。
【符号の説明】
【００５１】
１…ファクシミリ装置、２…ファクシミリ装置本体、７…制御手段を構成するＣＰＵ、８…制御手段を構成するＲＯＭ、９…制御手段を構成するＲＡＭ、１０…モデム、１５…検出手段としてのオン検出タイマ、１６…検出手段としてのオフ検出タイマ、１７…第１カウンタ、１８…第２カウンタ。
【図１】
2005051815.tif 000003
【図２】
2005051815.tif 000004
【図３】
2005051815.tif 000005
【図４】
2005051815.tif 000006
【図５】
2005051815.tif 000007